(57)【要約】  本発明は、表示装置及び偏光メガネに関する。本発明は、正の一軸性または負の一軸性位相差層を含む偏光メガネを着用して観察する表示装置に関することで、前記表示装置は、前記偏光メガネに含まれる位相差層とは反対符号の一軸性位相差層を含み、フィルタ部の波長分散特性を調節することにより、上下及び左右の視野角が非常に向上された表示装置を提供することができる。
2015523605.tif 000002
【特許請求の範囲】
【請求項１】
右眼用領域及び左眼用領域を含み、前記右眼用及び左眼用領域が一軸性位相差層及び偏光子を各々含む偏光メガネを通じて立体映像を観察する表示装置であって、
前記表示装置は、左眼用及び右眼用映像信号を生成することができる表示部と、前記表示部で生成された左眼用及び右眼用映像信号の偏光状態を互いに相違に調節できるように各々位相差層を有する第１及び第２領域を含むフィルタ部と、を含み、
前記第１及び第２領域の位相差層は、前記偏光メガネの一軸性位相差層とは反対符号の一軸性であり、
前記フィルタ部の第１及び第２領域の位相差層は、互いに同一な波長分散特性を有する表示装置。
【請求項２】
第１及び第２領域を各々通過した左眼用及び右眼用映像信号の中でいずれの一つは、左円偏光された信号であり、他の一つは、右円偏光された信号である請求項１に記載の表示装置。
【請求項３】
第１領域の位相差層の光軸と第２領域の位相差層の光軸は、互いに相違な方向に形成されている光軸を含む請求項１または２に記載の表示装置。
【請求項４】
フィルタ部の位相差層は、正の一軸性位相差層であり、偏光メガネの位相差層は、負の一軸性位相差層である請求項１から３のいずれか１項に記載の表示装置。
【請求項５】
フィルタ部の位相差層は、負の一軸性位相差層であり、偏光メガネの位相差層は、正の一軸性位相差層である請求項１から３のいずれか１項に記載の表示装置。
【請求項６】
フィルタ部の第１及び第２領域の位相差層は、いずれも正常波長分散特性、フラット波長分散特性または逆波長分散特性を有する請求項１から５のいずれか１項に記載の表示装置。
【請求項７】
偏光メガネの右眼用及び左眼用領域の一軸性位相差層は、いずれも正常波長分散特性、フラット波長分散特性または逆波長分散特性を有する請求項１から６のいずれか１項に記載の表示装置。
【請求項８】
右眼用及び左眼用領域の位相差層は、フィルタ部の位相差層と波長分散特性が同一であるか相違である請求項７に記載の表示装置。
【請求項９】
右眼用及び左眼用領域の位相差層は、互いに同一な波長分散特性を有する請求項７または８に記載の表示装置。
【請求項１０】
フィルタ部の位相差層は、基材層及び前記基材層の表面に形成されており、配向された棒状液晶化合物、配向されたディスコティック液晶化合物またはコレステリック液晶化合物を含む液晶層を有する請求項１から９のいずれか１項に記載の表示装置。
【請求項１１】
基材層は、厚さ方向の位相差の絶対値が、１００ｎｍ以下である請求項１０に記載の表示装置。
【請求項１２】
フィルタ部の位相差層は、光学異方性高分子フィルムである請求項１から１１のいずれか１項に記載の表示装置。
【請求項１３】
表示部とフィルタ部の間に偏光子をさらに含む請求項１から１２のいずれか１項に記載の表示装置。
【請求項１４】
偏光子の一面または両面に配置され、厚さ方向の位相差の絶対値が、１００ｎｍ以下である偏光子保護フィルムをさらに含む請求項１３に記載の表示装置。
【請求項１５】
第１領域は、偏光子の吸収軸と時計方向に３０度〜７０度の角度を成す光軸を有し、第２領域は、偏光子の吸収軸と半時計方向に３０度〜７０度の角度を成す光軸を有する請求項１３または１４に記載の表示装置。
【請求項１６】
左眼用領域の偏光子の吸収軸と右眼用領域の偏光子の吸収軸が互いに平行に形成されており、前記互いに平行に形成されている各偏光子の吸収軸は、左眼用領域の中心と右眼用領域の中心を連結する仮想の線が表示装置の第１及び第２領域の境界線と垂直または水平を成すように配置した状態で、前記表示装置の偏光子の吸収軸と垂直を成すように配置される請求項１３から１５のいずれか１項に記載の表示装置。
【請求項１７】
左眼用領域の中心と右眼用領域の中心を連結する仮想の線が表示装置の第１及び第２領域の境界線と垂直または水平を成すように配置した状態で、第１領域の位相差層の光軸と左眼用領域の位相差層の光軸は、同一な方向を有し、第２領域の位相差層の光軸と右眼用領域の位相差層の光軸は、互いに同一な方向を有する請求項１から１６のいずれか１項に記載の表示装置。
【請求項１８】
左眼用及び右眼用映像信号を生成することができる表示部と、前記表示部で生成された左眼用及び右眼用映像信号の偏光状態を互いに相違に調節できる一軸性位相差層を各々有する第１及び第２領域を含むフィルタ部と、前記表示部とフィルタ部の間に偏光子と、を含み、前記フィルタ部の第１及び第２領域の位相差層は、互いに同一な波長分散特性を有する表示装置からの立体映像を観察する偏光メガネであって、
左眼用領域及び右眼用領域を含み、前記右眼用及び左眼用領域が各々前記フィルタ部の位相差層と反対符号である一軸性位相差層及び偏光子を各々含む偏光メガネ。
【請求項１９】
右眼用及び左眼用領域の位相差層の波長分散特性は、前記フィルタ部の第１及び第２領域の位相差層の波長分散特性と同一であるか相違である請求項１８に記載の偏光メガネ。
【請求項２０】
右眼用及び左眼用領域の位相差層は、互いに同一な波長分散特性を有する請求項１８または１９に記載の偏光メガネ。
【請求項２１】
左眼用領域の偏光子の吸収軸と右眼用領域の偏光子の吸収軸が互いに平行に形成されており、前記互いに平行に形成されている各偏光子の吸収軸は、左眼用領域の中心と右眼用領域の中心を連結する仮想の線が表示装置の第１及び第２領域の境界線と垂直または水平を成すように配置した状態で、前記表示装置の偏光子の吸収軸と垂直を成すように配置される請求項１８から２０のいずれか１項に記載の偏光メガネ。
【発明の詳細な説明】
【技術分野】
【０００１】
本発明は、表示装置及び偏光メガネに関する。
【背景技術】
【０００２】
最近、ゲームまたは映画などのような分野で３次元立体映像に対する需要が増加することに従って、３次元立体映像を表示する表示装置が開発されている。３次元立体映像が是認される方式は、観察者の両眼を通じて一対の２次元平面映像が入力され、観察者の脳で前記一対の２次元映像を融合して立体感を是認するようになる。
【０００３】
立体映像表示装置は、メガネの着用有無によってシャッターメガネ（ｓｈｕｔｔｅｒ ｇｌａｓｓｅｓ）方式または偏光メガネ（ｐｏｌａｒｉｚｅｄ ｇｌａｓｓｅｓ）方式などのメガネ式立体映像表示装置とバリア（ｂａｒｒｉｅｒ）方式またはレンチキュラー（ｌｅｎｔｉｃｕｌａｒ）方式などの非メガネが立体映像表示装置に区分することができる。
【０００４】
特許文献１は、偏光メガネを利用した立体映像表示装置に関する発明である。
【先行技術文献】
【特許文献】
【０００５】
【特許文献１】大韓民国公開特許第２０１０‐０００６４６１号公報
【発明の概要】
【発明が解決しようとする課題】
【０００６】
本発明の目的は、表示装置及び偏光メガネを提供することにある。
【課題を解決するための手段】
【０００７】
本発明は、右眼用領域及び左眼用領域を含み、前記右眼用及び左眼用領域が一軸性位相差層及び偏光子を各々含む偏光メガネを通じて立体映像を観察する表示装置に関する。前記表示装置は、左眼用及び右眼用映像信号を生成することができる表示部と、前記表示部で生成された左眼用及び右眼用映像信号の偏光状態を互いに相違に調節できるように各々位相差層を有する第１及び第２領域を含むフィルタ部と、を含むことができる。また、前記第１及び第２領域の位相差層は、前記偏光メガネの一軸性位相差層とは反対符号の一軸性であり、前記フィルタ部の第１及び第２領域の位相差層は、互いに同一な波長分散特性を有することができる。
【０００８】
また、本発明は、左眼用及び右眼用映像信号を生成することができる表示部と、前記表示部で生成された左眼用及び右眼用映像信号の偏光状態を互いに相違に調節できる一軸性位相差層を各々有する第１及び第２領域を含むフィルタ部と、前記表示部とフィルタ部の間に偏光子と、を含み、前記フィルタ部の第１及び第２領域の位相差層は、互いに同一な波長分散特性を有する表示装置からの立体映像を観察する偏光メガネに関する。前記偏光メガネは、左眼用領域及び右眼用領域を含み、前記右眼用及び左眼用領域が各々前記フィルタ部の位相差層と反対符号である一軸性位相差層及び偏光子を各々含むことができる。
【０００９】
また、本発明は、前記表示装置と前記偏光メガネを含む立体映像観察装置に関する。
【発明の効果】
【００１０】
本発明は、正の一軸性または負の一軸性位相差層を含む偏光メガネを着用して観察する表示装置に関することで、前記表示装置は、前記偏光メガネに含まれる位相差層とは反対符号の一軸性位相差層を含み、フィルタ部の波長分散特性を調節することにより、上下及び左右の視野角が非常に向上された表示装置を提供することができる。
【図面の簡単な説明】
【００１１】
【図１】位相差層またはフィルムのｘ、ｙ及びｚ軸を模式的に示した図である。
【図２】一つの例示による表示装置及び偏光メガネを上部から観察した模様を模式的に示した図である。
【図３】ＵＬ領域とＵＲ領域の例示的な配置を示した模式図である。
【図４】ＵＬ領域とＵＲ領域の例示的な配置を示した模式図である。
【図５】ＦＬ領域とＦＲ領域の例示的な配置を示した模式図である。
【図６】ＦＬ領域とＦＲ領域の例示的な配置を示した模式図である。
【図７】偏光メガネで左眼用及び右眼用領域の重さ中心及び重さ中心を連結する仮想線を説明するための図である。
【図８】ＤＬ及びＤＲを説明するための図である。
【図９】ＤＬ及びＤＲを説明するための図である。
【図１０】動径角及び傾斜角を説明するための図である。
【図１１−２４】実施例１〜実施例５及び比較例１〜比較例５の表示装置及び偏光メガネが成す動径角及び/または傾斜角の変化によるクロストーク割合を示したデータである。
【符号の説明】
【００１２】
１：表示装置
１０：光源
１１：表示部
１２Ａ，１２Ｂ：表示装置の偏光子
１３：フィルタ部
２：偏光メガネ
２１：左眼用領域
２１Ａ：偏光メガネの位相差層
２１Ｂ：偏光メガネの偏光子
２２：右眼用領域
２２Ａ：偏光メガネの位相差層
２２Ｂ：偏光メガネの偏光子
１００：位相差層またはフィルム
【発明を実施するための形態】
【００１３】
本発明による例示的な表示装置は、偏光メガネを着用して立体映像を観察する装置であることができる。
【００１４】
本発明は、右眼用領域及び左眼用領域を含み、前記右眼用及び左眼用領域が一軸性位相差層及び偏光子を各々含む偏光メガネを通じて立体映像を観察する表示装置に関する。
【００１５】
前記表示装置は、左眼用及び右眼用映像信号を生成することができる表示部と、前記表示部で生成された左眼用及び右眼用映像信号の偏光状態を互いに相違に調節できるように各々位相差層を有する第１及び第２領域を含むフィルタ部と、を含むことができる。また、前記第１及び第２領域の位相差層は、前記偏光メガネの一軸性位相差層とは反対符号の一軸性であり、前記フィルタ部の第１及び第２領域の位相差層は、互いに同一な波長分散特性を有することができる。
【００１６】
上述のように、偏光メガネは、立体映像を観察するための左眼用映像信号と右眼用映像信号が各々入射される左眼用領域と右眼用領域を含むことができる。前記左眼用領域は、位相差層と偏光子を含み、右眼用領域も位相差層と偏光子を含むことができる。前記左眼用及び右眼用領域に各々含まれる位相差層と偏光子は、表示装置から出射された信号が位相差層と偏光子を順に透過して左眼または右眼に入射されるように配置されることができる。
【００１７】
本明細書で用語「偏光子」と「偏光板」は、互いに区別される意味で使用される。すなわち、用語「偏光子」は、例えば、吸収型偏光子で使用されるポリビニルアルコールフィルムなどのように偏光機能を示すそのシートまたはフィルム自体を意味し、用語「偏光板」は、偏光子に追加で他のフィルム、シートまたは層を含む積層フィルムを意味することができる。前記他のフィルム、シートまたは層では、偏光子保護フィルムなどを例示することができる。
【００１８】
前記左眼用及び右眼用領域に含まれる位相差層は、一軸性位相差層であることができる。また、前記第１及び第２領域の位相差層も一軸性位相差層であることができる。用語「一軸性位相差層」は、前記層のｘ軸方向の屈折率（以下、ｎｍａｘ）、ｙ軸方向の屈折率（以下、ｎｍｉｎ）及びｚ軸方向の屈折率（以下、ｎｚ）のうち２個の屈折率は同一であり、残り一つの屈折率が相異なっている層またはフィルムを意味することができる。本明細書で、「同一」とは、実質的な同一を意味する。前記ｘ軸は、例えば、図１に示したように、位相差層またはフィルム１００の面上のいずれの一方向を意味し、ｙ軸は、前記ｘ軸に垂直した面上方向を意味し、ｚ軸は、前記ｘ軸とｙ軸により形成される平面の法線方向、例えば、位相差層またはフィルム１００の厚さ方向を意味することができる。
【００１９】
上述のように表示装置は、左眼用及び右眼用映像信号を生成することができる表示部と、フィルタ部と、を含むことができる。表示部とフィルタ部は、表示部で生成された映像信号がフィルタ部を透過して観察者側で伝達されるように配置される。前記フィルタ部には、表示部で生成された左眼用及び右眼用映像信号が伝達され、前記左眼用及び右眼用映像信号が互いに相異なっている偏光状態を有するように調節して出射できるように形成された第１及び第２領域を含むことができる。前記第１領域は、位相差層を含み、第２領域も位相差層を含むことができる。一つの例示で、第１及び第２領域を各々通過した左眼用及び右眼用映像信号の中でいずれの一つは、左円偏光された信号であり、他の一つは、右円偏光された信号であることができる。
【００２０】
前記フィルタ部の位相差層は、一軸性位相差層であり、第１領域の位相差層と第２領域の位相差層は、各々互いに相異なっている方向に形成されている光軸を含むことができる。本明細書で用語「光軸」は、光が該当領域を透過する過程での遅軸（ｓｌｏｗ ａｘｉｓ）または速軸（ｆａｓｔ ａｘｉｓ）を意味することができ、特定しない限り、遅軸を意味することができる。
【００２１】
また、第１及び第２領域の位相差層は、前記偏光メガネの一軸性位相差層とは反対符号の一軸性であることができる。前記反対符号を有するということは、フィルタ部の位相差層が正の一軸性位相差層である場合には、偏光メガネの位相差層は負の一軸性位相差層であり、フィルタ部の位相差層が負の一軸性位相差層である場合には、偏光メガネの位相差層は正の一軸性位相差層である場合を意味する。
【００２２】
本明細書で用語「正の一軸性位相差層」は、前記ｎｍａｘ及びｎｚが下記数式１を満足する一軸性位相の差層を意味し、用語「負の一軸性位相差層」は、前記ｎｍａｘ、ｎｍｉｎ及びｎｚが下記数式２を満足する一軸性位相差層を意味する。
【００２３】
【数１】
2015523605.tif 000003
【００２４】
【数２】
2015523605.tif 000004
【００２５】
また、第１及び/または２領域の位相差層は、下記数式３で規定される面上位相差を有することができる。
【００２６】
【数３】
2015523605.tif 000005
【００２７】
前記数式３で、Ｒ（λ）は、面上位相差であり、ｄは、位相差層の厚さであり、ｎｅは、異常屈折率（ｅｘｔｒａ−ｏｒｄｉｎａｒｙ ｒｅｆｒａｃｔｉｖｅ ｉｎｄｅｘ）であり、ｎｏは、正常屈折率（ｏｒｄｉｎａｒｙ ｒｅｆｒａｃｔｉｖｅ ｉｎｄｅｘ）である。前記異常屈折率は、前記ｎｍａｘ 、ｎｍｉｎ及びｎｚの中で屈折率が異なる一方向の屈折率であり、正常屈折率は、屈折率が同一な二つの方向の屈折率を意味することができる。したがって、例えば、数式１を満足する正の一軸性位相差層の場合、異常屈折率は、ｎｍａｘであり、数式２を満足する負の一軸性位相差層の場合、異常屈折率は、ｎｍｉｎである。
【００２８】
一つの例示で、フィルタ部の位相差層では、表示部で生成された信号を円偏光された信号で排出するためにλ／４波長層の場合を例示すことができる。本明細書で用語「ｎλ波長層」は、入射される光を各々の波長のその波長のｎ倍ほど位相遅延させることができる位相遅延素子を意味することができ、前記ｎは、例えば、１／４、１／２または３／４であることができる。
【００２９】
一つの例示で、λ／４波長層が正の一軸性位相差層である場合、λ／４波長層は、５５０ｎｍの波長で、５０〜２００ｎｍ、６０〜１９０ｎｍ、７０〜１８０ｎｍ、８０〜１７０ｎｍ、９０〜１６０ｎｍ、１００〜１５５ｎｍ、１１０〜１５０ｎｍ、１２０〜１４５ｎｍ、１３０〜１４０ｎｍまたは１３５〜１４０ｎｍの位相差を有する波長層を意味することができる。
【００３０】
他の例示で、λ／４波長層が負の一軸性位相差層である場合、λ／４波長層は、５５０ｎｍの波長で、−５０〜−２００ｎｍ、−６０〜−１９０ｎｍ、−７０〜−１８０ｎｍ、−８０〜−１７０ｎｍ、−９０〜−１６０ｎｍ、−１００〜−１５５ｎｍ、−１１０〜−１５０ｎｍ、−１２０〜−１４５ｎｍ、−１３０〜−１４０ｎｍまたは−１３５〜−１４０ｎｍの位相差を有する波長層を意味することができる。前記位相差は、例えば、前記数式３により規定される面上位相差であることができる。
【００３１】
本明細書で、特別指定しない限り、位相差は、５５０ｎｍの波長で測定した位相差値を意味することができる。
【００３２】
本発明の具体例で、フィルタ部の第１及び第２領域の位相差層及び偏光メガネの位相差層は、いずれも正常（Ｎｏｒｍａｌ）波長分散特性（以下、「Ｎ特性」）、フラット（Ｆｌａｔ）波長分散特性（以下、「Ｆ特性」）または逆（Ｒｅｖｅｒｓｅ）波長分散特性（以下、「Ｒ特性」）を有する位相差層を使用することができる。
【００３３】
本明細書で位相差層の波長分散特性を説明する過程で使用するＲ（λ）は、λｎｍの波長の光に対して測定した位相差層の位相差値を意味することができる。例えば、Ｒ（４５０）、Ｒ（５５０）及びＲ（６５０）は、各々４５０ｎｍ、５５０ｎｍ及び６５０ｎｍの波長の光に対して測定した位相差値を意味することができる。
【００３４】
本明細書で用語「Ｎ特性の位相差層」は、特定しない限り、Ｒ（４５０）／Ｒ（５５０）が Ｒ（６５０）／Ｒ（５５０）に比べて大きい位相差層を意味することができる。一つの例示で、前記Ｎ特性の位相差層は、Ｒ（４５０）／Ｒ（５５０）が、１．０１〜１．１９、１．０２〜１．１８、１．０３〜１．１７、１．０４〜１．１６、１．０５〜１．１５、１．０６〜１．１４、１．０７〜１．１３、１．０８〜１．１２または１．０９〜１．１１であることができる。また、前記Ｎ特性の位相差層は、Ｒ（６５０）／Ｒ（５５０）が、０．８１〜０．９９、０．８２〜０．９８、０．８３〜０．９７、０．８４〜０．９６、０．８５〜０．９５、０．８６〜０．９４、０．８７〜０９３、０．８８〜０．９２または０．８９〜０．９１であることができる。また、前記Ｎ特性の位相差層は、｛Ｒ（６５０）−Ｒ（４５０）｝／｛２００×Ｒ（５５０）｝が、−０．００１９〜−０．０００１、−０．００１８〜−０．０００２、−０．００１７〜−０．０００３、−０．００１６〜−０．０００４、−０．００１５〜−０．０００５、−０．００１４〜−０．０００６、−０．００１３〜−０．０００７、−０．００１２〜−０．０００８、−０．００１１〜−０．０００９または約−０．００１であることができる。
【００３５】
本明細書で用語「Ｆ特性の位相差層」は、特定しない限り、Ｒ（４５０）／Ｒ（５５０）がＲ（６５０）／Ｒ（５５０）と実質的に同一な位相差層を意味することができる。一つの例示で、前記Ｆ特性の位相差層は、Ｒ（４５０）／Ｒ（５５０）及びＲ（６５０）／Ｒ（５５０）が、各々１．０１〜１．１９、１．０２〜１．１８、１．０３〜１．１７、１．０４〜１．１６、１．０５〜１．１５、１．０６〜１．１４、１．０７〜１．１３、１．０８〜１．１２または１．０９〜１．１１であることができる。また、前記Ｆ特性の位相差層は、｛Ｒ（６５０）−（４５０）｝／｛２００×Ｒ（５５０）｝が、±０．０００９以内、±０．０００８以内、±０．０００７以内、±０．０００６以内、±０．０００５以内、±０．０００４以内、±０．０００３以内、±０．０００２以内、±０．０００１以内または約０であることができる。
【００３６】
本明細書で用語「Ｒ特性の位相差層」は、特定しない限り、Ｒ（４５０）／Ｒ（５５０）がＲ（６５０）／Ｒ（５５０）に比べて小さい位相差層を意味することができる。一つの例示で、前記Ｎ特性の位相差層は、Ｒ（４５０）／Ｒ（５５０）が、０．８１〜０．９９、０．８２〜０．９８、０．８３〜０．９７、０．８４〜０．９６、０．８５〜０．９５、０．８６〜０．９４、０．８７〜０．９３、０．８８〜０．９２または０．８９〜０．９１であることができる。また、Ｎ特性の位相差層は、Ｒ（６５０）／Ｒ（５５０）が、１．０１〜１．１９、１．０２〜１．１８、１．０３〜１．１７、１．０４〜１．１６、１．０５〜１．１５、１．０６〜１．１４、１．０７〜１．１３、１．０８〜１．１２または１．０９〜１．１１であることができる。また、前記Ｎ特性の位相差層は、｛Ｒ（６５０）−Ｒ（４５０）｝／｛２００×Ｒ（５５０）｝が、０．０００１〜０．００１９、０．０００２〜０．００１８、０．０００３〜０．００１７、０．０００４〜０．００１６、０．０００５〜０．００１５、０．０００６〜０．００１４、０．０００７〜０．００１３、０．０００８〜０．００１２、０．０００９〜０．００１１または約０．００１であることができる。
【００３７】
本発明の具体例で、フィルタ部の第１及び第２領域の位相差層は、互いに同一な波長分散特性を有することができる。したがって、一つの例示で、第１領域の位相差層が正常波長分散特性である場合、第２領域の位相差層も正常波長分散特性であることができる。また、偏光メガネの右眼用及び左眼用領域の一軸性位相差層は、いずれも正常波長分散特性、フラット波長分散特性または逆波長分散特性を有することができる。前記右眼用及び左眼用領域の位相差層は、フィルタ部の位相差層と波長分散特性が同一であるか相異なっていることができるが、右眼用及び左眼用領域の位相差層は、互いに同一な波長分散特性を有することができる。前記右眼用及び左眼用領域の位相差層は、互いに対称特性面で互いに同一な波長分散特性で設定することが好ましい。前記のように、フィルタ部の第１及び第２領域の位相差層の波長分散特性を同一に調節することにより、上下及び左右の視野角が非常に向上された高品質の立体映像が可能な表示装置を提供することができる。
【００３８】
図２は、例示的な表示装置１と偏光メガネ２を上部から観察した状態を示した図である。
【００３９】
図２の表示装置１は、表示部１１及びフィルタ部１３を含むことができる。また、図２のように、表示装置１は、表示部１１及びフィルタ部１３の間に偏光子１２Ｂをさらに含むことができる。そして、表示装置１は、表示部１１の偏光子１２Ｂとは反対側に順に配置された偏光子１２Ａ及び光源１０をさらに含むことができる。以下、本明細書では、説明の便宜のために光源１０及び表示部１１の間に位置する偏光子１２Ａは、第１偏光子で称し、第１偏光子の反対側に位置する偏光子１２Ｂは、第２偏光子で称する。
【００４０】
表示装置１に含まれる第１及び第２偏光子１２Ａ、１２Ｂは、透過軸及び前記透過軸に直交する吸収軸が形成されている光学素子である。偏光子に光が入射されると、偏光子は、入射された光のうち偏光子の透過軸方向と平行な偏光軸を有する光のみを透過させることができる。
【００４１】
一つの例示で、表示装置１に含まれる第１偏光子１２Ａの吸収軸と第２偏光子１２Ｂの吸収軸は、互いに垂直を成している。このような場合、第１及び第２偏光子１２Ａ、１２Ｂの透過軸も互いに垂直を成していることができる。本明細書で「垂直」、「水平」、「直交」または「平行」のような角度を規定する用語は、各々目的効果を損傷させない範囲内での実質的な垂直、水平、直交または平行を意味する。したがって、前記各用語は、例えば、製造誤差（ｅｒｒｏｒ）または偏差（ｖａｒｉａｔｉｏｎ）などを考慮したことで、例えば、約±１５度以内の誤差、約±１０度以内の誤差または約±５度以内の誤差を含むことができる。
【００４２】
光源１０では、例えば、ＬＣＤ（Ｌｉｑｕｉｄ Ｃｒｙｓｔａｌ Ｄｉｓｐｌａｙ）で通常的に使用される直下型（ｄｉｒｅｃｔ ｔｙｐｅ）またはエッジ型（ｅｄｇｅ ｔｙｐｅ）のバックライトユニット（ＢＬＵ：Ｂａｃｋ Ｌｉｇｈｔ Ｕｎｉｔ）を使用することができる。光源では、前記外にも多様な種類を制限なしに使用することができる。
【００４３】
表示装置１の表示部１１は、駆動状態で映像信号、例えば、左眼用映像信号（以下、「Ｌ信号」）と右眼用映像信号（以下、「Ｒ信号」）を含む映像信号を生成することができる。一つの例示で、表示部は、駆動状態でＬ信号を生成することができる左眼用映像信号生成領域（以下、「ＵＬ領域」）及びＲ信号を生成することができる右眼用映像信号生成領域（以下、「ＵＲ領域」）を含むことができる。
【００４４】
表示部は、例えば、透過型液晶パネルを含む領域または前記液晶パネルの液晶層により形成される領域であることができる。透過型液晶パネルは、例えば、光源１０側から順次に第１基板、画素電極、第１配向膜、液晶層、第２配向膜、共通電極及び第２基板を含むことができる。光源１０側の第１基板には、例えば、透明画素電極に電気的に接続された駆動素子として、ＴＦＴ（Ｔｈｉｎ Ｆｉｌｍ Ｔｒａｎｓｉｓｔｏｒ）と配線などを含むアクティブ型駆動回路が形成されている。前記画素電極は、例えば、ＩＴＯ（Ｉｎｄｉｕｍ Ｔｉｎ Ｏｘｉｄｅ）などを含み、画素別電極として機能することができる。また、第１または第２配向膜は、例えば、ポリイミドなどの材料を含むことができる。液晶層は、例えば、ＶＡ（Ｖｅｒｔｉｃａｌ Ａｌｉｇｎｍｅｎｔ）、ＴＮ（Ｔｗｉｓｔｅｄ Ｎｅｍａｔｉｃ）、ＳＴＮ（Ｓｕｐｅｒ Ｔｗｉｓｔｅｄ Ｎｅｍａｔｉｃ）またはＩＰＳ（Ｉｎ Ｐｌａｎｅ Ｓｗｉｔｃｈｉｎｇ）モードの液晶を含むことができる。液晶層は、駆動回路印加電圧により、光源１０からの光を画素別に透過または遮断する機能を有することができる。共通電極は、例えば、ＩＴＯなどを含み、共通の対向電極として機能することができる。
【００４５】
表示部１１は、駆動状態でＬまたはＲ信号を生成することができる領域として、一つ以上の画素（ｐｉｘｅｌ）により形成されるＵＬ及びＵＲ領域を含むことができる。例えば、前記液晶パネルで第１及び第２配向膜の間に密封された液晶を含む単位画素または２個以上の単位画素が組み合わされて前記ＵＬまたはＵＲ領域を形成している。
【００４６】
ＵＬ及びＵＲ領域は、行及び/または列方向に配置されている。図３は、例示的なＵＬ及びＵＲ領域の配置を示した図である。図３のように、ＵＬ及びＵＲ領域は、共通方向に延長するストライプ形状を有し、隣接して相互に配置されてもよい。図４は、他の例示的な配置を示し、ＵＬ及びＵＲ領域が格子パターンで互いに隣接して相互に配置されている。ＵＬ及びＵＲ領域の配置は、図３及び図４の配置に限定されるものではなく、この分野で知られている多様なデザインを全て適用することができる。
【００４７】
表示部は、駆動状態で信号によって各領域の画素を駆動することによりＬ及びＲ信号を含む映像信号を生成することができる。
【００４８】
例えば、図２を参照すれば、光源１０から出射した光が第１偏光子１２Ａに入射すると、前記偏光子１２Ａの透過軸と平行に偏光された光のみが偏光子１２Ａを透過する。透過された光が表示部１１に入射して、ＵＬ領域を透過した光はＬ信号になり、ＵＲ領域を透過した光はＲ信号になることができる。Ｌ及びＲ信号が第２偏光子１２Ｂに入射すると、前記偏光子１２Ｂの透過軸と平行に偏光された信号のみが前記偏光子１２Ｂを透過してフィルタ部１３に入射することができる。前記第１偏光子及び第２偏光子の透過軸は互いに垂直であることができる。
【００４９】
フィルタ部１３は、駆動状態で表示部１１で生成された映像信号を互いに偏光状態が相異なっている２種以上の信号に分割できるように形成されている第１領域と第２領域を含むことができる。前記第１及び第２領域の中でいずれの一つの領域は、表示部１１から伝達される信号のうちＬ信号が入射されるように配置されている左眼用映像信号偏光調節領域（以下、「ＦＬ領域」）であり、他の一つの領域は、Ｒ信号が入射されるように配置されている右眼用映像信号偏光調節領域（以下、「ＦＲ領域」）である。本明細書では、第１領域とＦＬ領域は同一な意味で使用され、第２領域はＦＲ領域と同一な意味で使用されることができる。
【００５０】
フィルタ部１３のＦＬ領域は、駆動状態でＵＬ領域で生成及び伝達されるＬ信号が入射されるように、ＵＬ領域の対応位置にＵＬ領域と対応されるサイズで配置され、ＦＲ領域は、ＵＲ領域で生成及び伝達されるＲ信号が入射されるように、ＵＲ領域の対応位置にＵＲ領域と対応されるサイズで配置される。ＵＬまたはＵＲ領域に対応する位置に対応するサイズでＦＬまたはＦＲ領域が形成されるということは、ＵＬ領域で生成されたＬ信号がＦＬ領域に入射されることができ、ＵＲ領域で生成されたＲ信号がＦＲ領域に入射されることができる位置及びサイズを意味することで、必ず両側が同一な位置に同一なサイズで形成されなければならないことを意味することではない。
【００５１】
ＦＬ及びＦＲ領域は、例えば、表示部のＵＬ及びＵＲ領域の配置に対応して共通方向に延長するストライプ形状で形成され、また互いに隣接して相互に配置されているか、あるいは格子パターンで互いに隣接して相互に配置されていることがきる。例えば、ＵＬ及びＵＲ領域が図３のように配置されている場合、ＦＬ及びＦＲ領域は、図５のような形態に配置され、ＵＬ及びＵＲ領域が図４のように配置されている場合、ＦＬ及びＦＲ領域は、図６のような形態に配置されていることができる。
【００５２】
駆動状態でＦＬ領域を透過した信号とＦＲ領域を透過した信号は、互いに相異なっている偏光状態を有することができる。
【００５３】
例えば、ＦＬ領域を透過した信号とＦＲ領域を透過した信号の中でいずれの一つは、左円偏光された信号であり、他の一つは右円偏光された信号であることができる。このような場合には、表示部で生成されたＬ信号は、第２偏光子を経てＦＬ領域に入射した後、左円偏光または右円偏光された状態に出射され、また、Ｒ信号は、第２偏光子を経てＦＲ領域に入射した後、前記Ｌ信号とは偏光軸の回転方向が逆方向になるように右円偏光または左円偏光された状態で出射されることができる。
【００５４】
フィルタ部のＦＬ及びＦＲ領域は、互いに逆方向に回転する円偏光された光を生成するために、前記ＦＬ領域に配置されたλ／４波長層の光軸と前記ＦＲ領域に配置されたλ／４波長層の光軸は、互いに相異なっているように形成されている。一つの例示で、ＦＬ領域は、位相差層として第１方向に光軸を有するλ／４波長層を含み、ＦＲ領域は、位相差層として前記第１方向とは相異なっている第２方向に光軸を有するλ／４波長層を含むことができる。
【００５５】
一つの例示で、第１方向及び第２方向の中でいずれの一つの方向は、第２偏光子の吸収軸と時計回り方向に３０度〜７０度、３５度〜６０度、４０度〜５０度または約４５度の角度を成す方向であり、他の一つの方向は、第２偏光子の吸収軸と半時計回り方向に３０度〜７０度、３５度〜６０度、４０度〜５０度または約４５度の角度を成す方向であることができる。本明細書で角度を示す数値は、目的効果を損傷させない範囲内での実質的な数値を意味する。一つの例示で、第１領域は、偏光子の吸収軸と時計回り方向に３０度〜７０度の角度を成す光軸を有し、第２領域は、偏光子の吸収軸と半時計回り方向に３０度〜７０度の角度を成す光軸を有することができる。したがって、角度を示す数値は、例えば、製造誤差または偏差などを考慮したことで、例えば、約±１５度以内の誤差、約±１０度以内の誤差または約±５度以内の誤差を含むことができる。
【００５６】
一つの例示で、左眼用領域の偏光子の吸収軸と右眼用領域の偏光子の吸収軸が互いに平行に形成されており、前記互いに平行に形成されている各偏光子の吸収軸は、左眼用領域の中心と右眼用領域の中心を連結する仮想の線が表示装置の第１及び第２領域の境界線と垂直または水平を成すように配置した状態で、前記表示装置の偏光子の吸収軸と垂直を成すように配置することが好ましい。このような状態で高品質の立体映像の観察が可能である。
【００５７】
本明細書でメガネの左眼用及び右眼用領域の中心を連結する仮想の線は、例えば、図７に示したように、左眼用及び右眼用領域の中心Ｃを連結する仮想の線ＣＬを意味し、前記領域の中心は、重さ中心（ｃｅｎｔｅｒ ｏｆ ｇｒａｖｉｔｙ）を意味することができる。
【００５８】
また、左眼用領域の中心と右眼用領域の中心を連結する仮想の線が表示装置の第１及び第２領域の境界線と垂直または水平を成すように配置した状態で、第１領域の位相差層の光軸と左眼用領域の位相差層の光軸は同一な方向を有し、第２領域の位相差層の光軸と右眼用領域の位相差層の光軸が互いに同一な方向を有することができる。
【００５９】
フィルタ部の位相差層並びに偏光メガネの左眼用及び右眼用領域の位相差層には、当業界で採用する構成を使用することが可能である。例えば、位相差層には、液晶フィルムまたは光学異方性高分子フィルムを使用することができる。
【００６０】
前記位相差層は、基材層及び前記基材層の表面に形成されており、配向された棒状液晶化合物、配向されたディスコティック液晶化合物またはコレステリック液晶化合物を含む液晶層を有することができる。
【００６１】
基材層は、例えば、厚さ方向の位相差の絶対値が、１００ｎｍ以内、９０ｎｍ以内、８０ｎｍ以内、７０ｎｍ以内、６０ｎｍ以内、５０ｎｍ以内、４０ｎｍ以内、３０ｎｍ以内、２０ｎｍ以内、１０ｎｍ以内、５ｎｍ以内、３ｎｍ以内、１ｎｍ以内または約０ｎｍである基材層を使用することができる。基材層の厚さ方向の位相差の絶対値が小さいほど向上された視野角を有する表示装置及び/または偏光メガネを提供することができる。
【００６２】
このような基材層では、例えば、トリアセチルセルロース（ＴＡＣ）、サイクリックオレフィンポリマー（ＣＯＰ）、サイクリックオレフィンコポリマー（ＣＯＣ）またはゼロリターデイショントリアセチルセルロース（０ＲＴ）などを使用することができる。
【００６３】
一つの例示で、液晶フィルムが正の一軸性位相差層に使用される場合、液晶層は、配向された棒状液晶化合物を含むことができる。液晶層は、例えば、棒状液晶化合物が水平配向された状態で重合されて含まれたものであることができる。本明細書で用語「水平配向」は、液晶化合物を含む液晶フィルムの光軸が液晶フィルムの平面に対して、約０度〜約２５度、約０度〜約１５度、約０度〜約１０度、約０度〜約５度または約０度の傾斜角を有する場合を意味することができる。このような液晶層は、例えば、ネマティック液晶相を示す重合性液晶化合物を配向した後、重合して製造することができる。重合性液晶化合物を配向する方法は、当業界で使用する方法を制限なしに使用することができ、例えば、光配向方法またはラビング配向方法などを使用することができる。
【００６４】
他の例示で、液晶フィルムが負の一軸性位相差層に使用される場合、液晶層は、配向されたディスコティック液晶化合物またはコレステリック液晶化合物を含むことができる。この場合にも、液晶層は、例えば、ディスコティック液晶化合物またはコレステリック液晶化合物が水平配向された状態で重合されて含まれたものであることができる。
【００６５】
前記光学異方性高分子フィルムは、例えば、延伸により光学異方性を付与することができる光透過性の高分子フィルムを適切な方式で延伸したフィルムであることができる。また、光学異方性を有する限り、無延伸の高分子フィルムも前記高分子フィルムで使用することができる。前記高分子フィルムでは、例えば、光透過率が７０％以上、８０％以上または８５％以上であり、吸収剤キャスト方式で製造されるフィルムを使用することができる。高分子フィルムは、通常、均質した延伸フィルムの生成可能性を考慮して、厚さが ３ｍｍ以下、１μｍ〜１ｍｍまたは５μｍ〜５００μｍ程度であるフィルムを使用することができる。
【００６６】
一つの例示で、光学異方性高分子フィルムが正の一軸性位相差層に使用される場合、高分子フィルムでは、ポリノルボルネンフィルムなどのサイクリックオレフィンポリマー（ＣＯＰ）フィルム、トリアセチルセルロース（ＴＡＣ）などのセルロースエステル系ポリマーフィルム、サイクリックオレフィンコポリマー（ＣＯＣ）またはポリカーボネート（ＰＣ）などを使用することができる。
【００６７】
他の例示で、光学異方性高分子フィルムが負の一軸性位相差層に使用される場合、高分子フィルムには、ポリスチレン（ｐｏｌｙｓｔｉｌｅｎｅ）または側鎖に二重結合及び／または芳香族環のような屈折率が大きい作用基を有する高分子フィルムなどを使用することができる。
【００６８】
第１及び第２偏光子と左眼用及び右眼用領域の偏光子では、当業界で使用する構成を制限なしに使用することができる。前記偏光子には、例えば、ポリビニルアルコール（ＰＶＡ：ｐｏｌｙｖｉｎｙｌ ａｌｃｏｈｏｌ）系列の線便光子のような通常の偏光子を使用することができる。このような偏光子は、ポリビニルアルコール系列の樹脂フィルムに異色性色素が吸着及び配向されている形態であることができる。偏光子を構成するポリビニルアルコール系列の樹脂は、例えば、酢酸ビニル樹脂をゲル化して得ることができる。酢酸ビニル樹脂には、酢酸ビニルの単独重合体並びに酢酸ビニル及び前記酢酸ビニルと共重合可能な他の単量体の共重合体などを使用することができる。酢酸ビニルと共重合可能な単量体の例には、不飽和カルボン酸類、オレフィン類、ビニルエーテル類、不飽和スルホン酸類及びアンモニウム基を有するアクリルアミド類などの１種または２種以上の混合を有することができるが、これに限定されるものではない。ポリビニルアルコール系列樹脂のゲル化度は、通常８５モル％〜１００モル％程度または９８モル％以上であることができる。ポリビニルアルコール系列の樹脂は、追加に変性されていることができ、例えば、アルデヒド類に変性されたポリビニルホルマールまたはポリビニルアセタールなども使用できる。
【００６９】
このような偏光子は、一面または両面に偏光子保護フィルムを配置することができる。
【００７０】
前記偏光子保護フィルムは、例えば、厚さ方向の位相差の絶対値が、１００ｎｍ以内、９０ｎｍ以内、８０ｎｍ以内、７０ｎｍ以内、６０ｎｍ以内、５０ｎｍ以内、４０ｎｍ以内、３０ｎｍ以内、２０ｎｍ以内、１０ｎｍ以内、５ｎｍ以内、３ｎｍ以内、１ｎｍ以内または約０ｎｍである偏光子保護フィルムを使用することができる。偏光子保護フィルムの厚さ方向の位相差の絶対値が小さいほど向上された視野角を有する表示装置及び/または偏光メガネを提供することができる。
【００７１】
このような偏光子保護フィルムでは、例えば、トリアセチルセルロース（ＴＡＣ）、サイクリックオレフィンポリマー（ＣＯＰ）、サイクリックオレフィンコポリマー（ＣＯＣ）またはゼロリターデイショントリアセチルセルロース（０ＲＴ）などを使用することができる。前記保護フィルムの厚さは、特別に限定されず、例えば、１０〜２００μｍ、５０〜１００μｍまたは７０〜９０μｍであることができる。前記保護フィルムの厚さは、保護フィルムの種類及び使用用途によって適切に調節することができる。
【００７２】
また、本発明は、左眼用及び右眼用映像信号を生成することができる表示部と、前記表示部で生成された左眼用及び右眼用映像信号の偏光状態を互いに相違に調節できる一軸性位相差層を各々有する第１及び第２領域を含むフィルタ部と、前記表示部とフィルタ部の間に偏光子と、を含み、前記フィルタ部の第１及び第２領域の位相差層は、互いに同一な波長分散特性を有する表示装置からの立体映像を観察する偏光メガネに関する。
【００７３】
前記偏光メガネは、左眼用領域及び右眼用領域を含み、前記右眼用及び左眼用領域が各々前記フィルタ部の位相差層と反対符号である一軸性位相差層及び偏光子を各々含むことができる。
【００７４】
本発明による例示的な偏光メガネは、表示装置から出射される立体映像を観察する偏光メガネであることができる。前記偏光メガネは、例えば、上述した表示装置から出射される立体映像を観察する偏光メガネであることができる。前記偏光メガネは、立体映像を観察するための左眼用映像信号と右眼用映像信号が各々入射される左眼用領域と右眼用領域を含むことができる。前記左眼用領域は位相差層と偏光子を含み、右眼用領域も位相差層と偏光子を含むことができる。前記左眼用及び右眼用領域に各々含まれる位相差層と偏光子は、表示装置から出射された信号が位相差層と偏光子を順に透過して左眼または右眼に入射されるように配置されることができる。
【００７５】
前記左眼用及び右眼用領域に含まれる位相差層は、一軸性位相差層であることができ、例えば、表示装置のフィルタ部に含まれる一軸性位相差層とは反対符号を有する一軸性位相差層であることができる。
【００７６】
図２のように、偏光メガネ２は、位相差層２１Ａ、２２Ａと偏光子２１Ｂ、２２Ｂを各々含む左眼用領域及び右眼用領域を含むことができる。
【００７７】
偏光メガネに含まれる偏光子は、表示装置に含まれる偏光子のように所定方向に形成された吸収軸と前記吸収軸の方向とは直交する方向に透過軸を有する光学素子であることができる。
【００７８】
偏光メガネの左眼用及び右眼用領域は、各々位相差層を含むことができる。左眼用及び右眼用領域の位相差層は、各々フィルタ部のＦＬ及びＦＲ領域に含まれる位相差層と下記一般式１または一般式２の条件を満足することができる。
【００７９】
【数４】
2015523605.tif 000006
【００８０】
【数５】
2015523605.tif 000007
【００８１】
前記一般式１で、ＤＬは、ＦＬ領域の位相差層の光軸及び左眼用領域の位相差層の光軸の相対的な離脱程度であり、θ１は、ＦＬ領域の位相差層の光軸が第２偏光子の吸収軸と成す角度であり、θＬは、左眼用領域の偏光子の吸収軸を第２偏光子の吸収軸と垂直になるように配置した状態で左眼用領域の位相差層の光軸と第２偏光子の吸収軸が成す角度である。前記一般式２で、ＤＲは、ＦＲ領域の位相差層の光軸及び右眼用領域の位相差層の光軸の相対的な離脱位であり、θ２は、ＦＲ領域の位相差層の光軸が第２偏光子の吸収軸と成す角度であり、θＲは、右眼用領域の偏光子の吸収軸を第２偏光子の吸収軸と垂直になるように配置した状態で右眼用領域の位相差層の光軸と第２偏光子の吸収軸が成す角度である。
【００８２】
前記一般式１及び一般式２で、θ１、θ２、θＬ及びθＲの各角度は、第２偏光子の吸収軸から時計または半時計方向に測定された角度であることができるが、同一な式に代入される各角度は、同一な方向に測定された角度である。
【００８３】
図８は、一般式１のＤＬの角度関係を模式的に示した面である。第２偏光子の吸収軸（ＡＤ）と左眼用領域の偏光子の吸収軸（ＡＧ）を垂直で配置した状態で、第２偏光子の吸収軸（ＡＤ）から時計方向で測定したＦＬ領域の位相差層の光軸（ＳＦ）の角度がθ１に表示され、前記吸収軸（ＡＤ）から時計方向に測定した左眼用領域の位相差層の光軸（ＳＧ）の角度がθＬに表示されている。また、図９は、一般式２のＤＲの角度関係を模式的に示した図である。第２偏光子の吸収軸（ＡＤ）と右眼用領域の偏光子の吸収軸（ＡＧ）を垂直で配置した状態で、第２偏光子の吸収軸（ＡＤ）から半時計方向に測定したＦＲ領域の位相差層の光軸（ＳＦ）の角度がθ２に表示され、前記吸収軸（ＡＤ）から半時計方向に測定した右眼用領域の位相差層の光軸（ＳＧ）の角度がθＲに表示されている。
【００８４】
一般式１で、ＤＬは、例えば、１４度以下、１３度以下、１２度以下、１１度以下、１０度以下、９度以下、８度以下、７度以下、６度以下または５度以下であることができる。また、一般式２で、ＤＲは、例えば、１４度以下、１３度以下、１２度以下、１１度以下、１０度以下、９度以下、８度以下、７度以下、６度以下または５度以下であることができる。
【００８５】
一つの例示で、左眼用領域に含まれる位相差層は、フィルタ部のＦＬ領域に含まれる位相差層と実質的に同一な位相差を有することができる。また、右眼用領域に含まれる位相差層は、フィルタ部のＦＲ領域に含まれる位相差層と実質的に同一な位相差を有することができる。前記位相差は、例えば、前記数式３で規定される面上位相差であることができる。
【００８６】
したがって、フィルタ部のＦＬ領域に含まれる位相差層と左眼用領域に含まれる位相差層では、例えば、実質的に同一な位相差及び第２偏光子を基準として実質的に同一な方向の光軸を有する一軸性位相差層を使用するが、一軸性位相差層の符号が反対である一軸性位相差層を使用することができる。また、フィルタ部のＦＲ領域に含まれる位相差層と右眼用領域に含まれる位相差層では、例えば、実質的に同一な位相差及び第２偏光子を基準として実質的に同一な方向の光軸を有する一軸性位相差層を使用するが、一軸性位相差層の符号が反対である一軸性位相差層を使用することができる。フィルタ部の位相差層と偏光メガネの位相差層が反対符号の一軸性である場合、上下左右に広い視野角を提供することができる表示装置を提供することができる。
【００８７】
また、上述したように、フィルタ部の第１及び第２領域の位相差層は、互いに同一な波長分散特性を有することができ、右眼用及び左眼用領域の位相差層の波長分散特性は、前記フィルタ部の第１及び第２領域の位相差層の波長分散特性と同一であるか相異なっていることができる。但し、右眼用及び左眼用領域の位相差層は、互いに同一な波長分散特性を有することが好ましい。
【００８８】
前記表示装置及び偏光メガネは、上述した構成以外にも当業界に知られた公知の構成を追加で含むことが可能である。
【００８９】
以下、実施例及び比較例を通じて前記表示装置及び偏光メガネをより詳しく説明するが、前記表示装置及び偏光メガネは下記提示された実施例に限定されるものではない。
【００９０】
１．位相差の評価方式
位相差層の位相差は、１６個のミューラーマトリックス（Ｍｕｅｌｌｅｒ Ｍａｔｒｉｘ）を測定することができる装備であるＡｘｏｓｃａｎ（Ａｘｏｍａｔｒｉｃｓ社製）を使用して測定した。具体的には、前記装備を使用して製造社のマニュアルによって位相差層の１６個のミューラーマトリックスを求めて、これを通じて位相差値を抽出した。
【００９１】
２．クロストークの評価方式
表示装置のクロストーク割合は、下記方式で測定することができる。まず、表示装置を基準でクロストーク割合を測定しようとする観測地点に偏光メガネを位置させる。前記観測地点は、表示装置の中心から前記表示装置の水平方向の長さの３／２倍に該当する距離ほど離れた地点であり、このような位置で、図１０のように、所定の動径角（Φ）及び/または傾斜角（θ）で特定された地点である。ここで、表示装置の水平方向の長さは、観察者が立体映像を観察する状態を仮定する時、前記観察者を基準とした水平方向の長さ、例えば、表示装置の横の長さであることができる。一方、前記図１０で、ｘ軸方向を観察者の観測地点で仮定し、原点を表示装置の中心とする時、動径角（Φ）は、０度であり、傾斜角（θ）は、９０度になる。したがって、観測地点がｙ軸方向に左または右に変わることによって、動径角（Φ）が相違に設定されることができる。同様に、観測地点がｚ軸方向に上または下に変わることによって、傾斜角（θ）も相違に設定されることができる。前記配置で、表示装置がＬ信号を出力するようにした状態で、偏光メガネの左眼用及び右眼用領域の背面に輝度計（装備名：ＳＲ‐ＵＬ２ Ｓｐｅｃｔｒｏｍｅｔｅｒ）を配置し、各々の場合の輝度を測定する。前記で左眼用領域の背面で測定される輝度は、明状態の輝度であり、右眼用領域の背面で測定される輝度は暗状態の輝度である。各輝度を測定した後、明状態の輝度に対する暗状態の輝度の割合（［暗状態の輝度］／［明状態の輝度］）を求めて、その百分率をクロストーク割合（ＣＴ％）で規定することができる。また、クロストークの割合は、上述した方式と同一な方式で測定し、表示装置がＲ信号を出力している状態で明及び暗状態での輝度を求めて測定することができる。この場合、左眼用領域の背面で測定される輝度は、暗状態の輝度であり、右眼用領域の背面で測定される輝度は、明状態の輝度である。同一に、その割合（［暗状態の輝度／明状態の輝度］）の百分率をクロストークの割合で規定することができる。
【００９２】
実施例 １
（１） 表示装置及び偏光メガネの製造
図２に示したような構造を有するが、表示部１１は、ＵＬ及びＵＲ領域が、図３のように配置されている透過型液晶パネルであり、フィルタ部１３は、図５のように配置されたＦＬ及びＦＲ領域を含むように表示装置を構成した。
【００９３】
表示装置１で、フィルタ部のＦＬ領域には、第２偏光子１２Ｂの吸収軸と時計方向に４５度を成す方向に遅軸が形成された位相差層としてλ／４波長の位相遅延特性を有する正の一軸性位相差層を位置させて、ＦＲ領域には、第２偏光子１２Ｂの吸収軸と半時計方向に４５度を成す方向に遅軸を有する位相差層としてλ／４波長の位相遅延特性を有する正の一軸性位相差層を位置させた。
【００９４】
また、前記ＦＬ領域及びＦＲ領域の位相差層の波長分散特性をＲ（４５０）／Ｒ（５５０）は、１．１８、Ｒ（６５０）／Ｒ（５５０）が０．９２である正常波長分散特性を有する正の一軸性位相差フィルムを使用した。また、偏光メガネの右眼用及び左眼用領域の位相差層の波長分散特性は、Ｒ（４５０）／Ｒ（５５０）は、１．１８、Ｒ（６５０）／Ｒ（５５０）が０．９２である正常波長分散特性を有するようにした。
【００９５】
表示装置で、第２偏光子１２Ｂの吸収軸は、装置の縦方向と水平を成すようにし、第１偏光子１２Ａの吸収軸は、第２偏光子１２Ｂの吸収軸と垂直を成すようにした。前記装置から出射される映像を、図２のような左眼用及び右眼用領域を含む偏光メガネ２を着用して観察しながら動径角及び/または傾斜角によるクロストーク割合を評価した。偏光メガネで各偏光子２１Ｂ、２２Ｂは、各吸収軸がお互いに平行な方向に形成され、また左眼用領域の中心と右眼用領域の中心を連結する仮想の線（図７に示した仮想の線（ＣＬ））が表示装置のＦＬ及びＦＲ領域の境界と垂直になるように偏光メガネを位置させた場合に、第２偏光子１２Ｂの吸収軸と左眼用及び右眼用領域の偏光子の吸収軸が垂直を成すように配置した。また、左眼用領域の位相差層２１Ａでは、偏光メガネの偏光子の吸収軸と第２偏光子１２Ｂの吸収軸が垂直を成すように偏光メガネを配置した場合に、Ｆｌ領域の位相差層と実質的に同一な方向に光軸が形成された位相差層として、１／４波長の位相遅延特性を有する負の位相差層を使用し、右眼用領域の位相差層２２Ａでは、偏光メガネの偏光子の吸収軸と第２偏光子１２Ｂの吸収軸が垂直を成すように偏光メガネを配置した場合に、ＦＲ領域の位相差層と実質的に同一な方向に光軸が形成された位相差層として、１／４波長の位相遅延特性を有する負の一軸性位相差層を使用した。
【００９６】
表示装置の第１及び第２偏光子１２Ａ、１２Ｂと偏光メガネの偏光子２１Ｂ、２２Ｂでは、通常的な吸収型線形偏光子であるポリビニルアルコール系列の偏光子を使用した。また、表示装置で第２偏光子１２Ｂとフィルタ部１３の間及び偏光メガネの左眼用及び右眼用領域で偏光子２１Ｂ、２２Ｂ と位相差層２１Ａ、２２Ａの間には、５５０ｎｍ波長を使用して測定した厚さ方向の位相差値が、約６０ｎｍ程度であり、８０μｍの厚さを有するＴＡＣフィルム（偏光子保護フィルム）を位置させた。また、フィルタ部の位相差層及び左眼用と右眼用領域に適用される位相差層では、厚さ方向の位相差が５５０ｎｍ波長を使用して測定した位相差値が、約６０ｎｍ程度であり、８０μｍの厚さを有するＴＡＣフィルムの表面に液晶層が形成された液晶フィルムを使用し、フィルタ部は、液晶フィルムの液晶層を第２偏光子１２Ｂ側を向けるように配置させて、左眼用及び右眼用領域での液晶フィルムは、偏光子２１Ｂ、２２Ｂ側を向けるように配置させた。
【００９７】
（２）  クロストーク割合の測定
２−１．傾斜角によるクロストーク割合の測定
表示装置と偏光メガネを通じて対角線方向から観察する状態で、傾斜角のみを変化させながらクロストーク割合を測定した。傾斜角によるクロストーク割合の変化は、図１１の点線で示した。
【００９８】
２−２．動径角によるクロストーク割合の測定
表示装置と偏光メガネが５０度の傾斜角を成すように配列させた状態で、動径角を変化させながらクロストーク割合を測定した。動径角によるクロストーク割合の変化は、図１３の点線で示した。
【００９９】
２−３．傾斜角及び動径角の変化によるクロストーク割合の測定
表示装置と偏光メガネが成す傾斜角を０度〜８０度に変更する間、動径角も０度〜３６０度に変更しながらクロストーク割合を測定した。傾斜角及び動径角の変化によるクロストーク割合の変化は、図１６に示した。図１６のグラフは、同一クロストーク割合の範囲を同一色相で表示したグラフである。すなわち、クロストークの割合が０〜１％である範囲は、青色で表示され、クロストーク割合が高くなるほど青色から赤く表示され、クロストーク割合が９〜１０％である範囲は、赤色で表示される。前記グラフでクロストークの割合が０〜１％である範囲は、棒グラフの０に該当し、クロストークの割合が９〜１０％である範囲は、１０に該当し、棒グラフの数字が高くなるほどクロストーク割合が大きくなる。したがって、中心部はクロストーク割合が０〜１％であるが、外角に行くほど、クロストーク割合が大きくなることが分かる。
【０１００】
実施例２〜実施例５及び比較例１〜比較例５
（１） 表示装置及び偏光メガネの製造
前記実施例１で、表示装置の偏光子保護フィルム、フィルタ部の位相差層に利用される液晶フィルムの基材層、偏光メガネの偏光子保護フィルム及び偏光メガネの位相差層の特性を下記表１のように変更したこと以外は、実施例１と同一な方法で表示装置及び偏光メガネを製造した。また、実施例２〜実施例５で、フィルタ部の第１領域及び第２領域で、波長分散特性は、Ｒ（４５０）／Ｒ（５５０）は、１．１８、Ｒ（６５０）／Ｒ（５５０）が０．９２である正常波長分散特性を有するように同一に調節した。偏光メガネの右眼用及び左眼用領域の位相差層の波長分散特性もＲ（４５０）／Ｒ（５５０）は１．１８、Ｒ（６５０）／Ｒ（５５０）が０．９２である正常波長分散特性を有するようにした。
【０１０１】
【表１】
2015523605.tif 000008
【０１０２】
（２） クロストーク割合の測定
実施例２〜実施例５及び比較例１〜比較例５で製造した表示装置及び偏光メガネを使用した点以外は、実施例１と同一な方法で表示装置及び偏光メガネの動径角及び/または傾斜角によるクロストーク割合を測定した。各々の実施例または比較例の表示装置及び偏光メガネを利用して得られた動径角及び/または傾斜角によるクロストーク割合の結果は、図１１〜図２４に示した。各実施例及び比較例の結果は、表２を参照して確認することができる。
【０１０３】
【表２】
2015523605.tif 000009
【図１】
2015523605.tif 000010
【図２】
2015523605.tif 000011
【図３】
2015523605.tif 000012
【図４】
2015523605.tif 000013
【図５】
2015523605.tif 000014
【図６】
2015523605.tif 000015
【図７】
2015523605.tif 000016
【図８】
2015523605.tif 000017
【図９】
2015523605.tif 000018
【図１０】
2015523605.tif 000019
【図１１】
2015523605.tif 000020
【図１２】
2015523605.tif 000021
【図１３】
2015523605.tif 000022
【図１４】
2015523605.tif 000023
【図１５】
2015523605.tif 000024
【図１６】
2015523605.tif 000025
【図１７】
2015523605.tif 000026
【図１８】
2015523605.tif 000027
【図１９】
2015523605.tif 000028
【図２０】
2015523605.tif 000029
【図２１】
2015523605.tif 000030
【図２２】
2015523605.tif 000031
【図２３】
2015523605.tif 000032
【図２４】
2015523605.tif 000033
【国際調査報告】
2015523605.tif 000034
2015523605.tif 000035
2015523605.tif 000036
2015523605.tif 000037